(57)【特許請求の範囲】
【請求項１】
本体の基端側に一対の電源用の刃受け部を備えると共にこの刃受け部の下方に接地ピン受け部を備え、この本体の先端側に一対の電源用の栓刃を備え、一対の電源用の栓刃と接地ピンとを備えた３ピンプラグを上記の基端側に接続し、上記の先端側を一対の電源用の刃受け部のみを備えたソケット等の２ピン用電源接続部にも接続できるようにしたプラグアダプタにおいて、
上記の本体の先端側に倒れ止め部が設けられ、この倒れ止め部は上記の刃受け部よりも下方に突出し、且つ、本体の先端面以上に前方に突出する当接部と、この当接部を本体の前後方向に移動可能に支持する支持部とを備え、
上記の２ピン用電源接続部にプラグアダプタが接続された状態で、この当接部が２ピン用電源接続部の前面に当接することによって、プラグアダプタが下方に倒れることを防止するものであり、
上記の支持部は、上記の本体の下部から下方に向けて複数段に渡って設けられたものであり、この各段の先端に上記の当接部が前後に移動可能に配置され、この段と段との間が、他の部分よりも分離が容易に形成された分離部分とされていることを特徴とするプラグアダプタ。
【請求項２】
上記の当接部は、その基端側に雄ねじを備え、この雄ねじ螺合する雌ねじが上記の各段の先端に形成されたものであり、この雄ねじと雌ねじとの螺合量によって当接部が前後に移動するものであることを特徴とする請求項１記載のプラグアダプタ。
【請求項３】
本体の基端側に一対の電源用の刃受け部を備えると共にこの刃受け部の下方に接地ピン受け部を備え、この本体の先端側に一対の電源用の栓刃を備え、一対の電源用の栓刃と接地ピンとを備えた３ピンプラグを上記の基端側に接続し、上記の先端側を一対の電源用の刃受け部のみを備えたソケット等の２ピン用電源接続部にも接続できるようにしたプラグアダプタにおいて、
上記の本体の先端側に倒れ止め部が設けられ、この倒れ止め部は上記の刃受け部よりも下方に突出し、且つ、本体の先端面以上に前方に突出する当接部と、この当接部を本体の前後方向に移動可能に支持する支持部とを備え、
上記の２ピン用電源接続部にプラグアダプタが接続された状態で、この当接部が２ピン用電源接続部の前面に当接することによって、プラグアダプタが下方に倒れることを防止するものであり、
上記の支持部は、上記の本体の左右両側部に回動可能に接続された腕部であり、当接部はこの左右の両腕部間に渡されることにより上記の本体の下方に位置しており、左右の腕部を後方から前方に回動することによって、当接部は後方から前方に移動すると共に上記の本体の下方位置からさらに下方へ移動するものであり、この移動した位置で腕部を係止する係止部が上記の本体に設けられたものであることを特徴とするプラグアダプタ。
【発明の詳細な説明】
【技術分野】
【０００１】
本願発明は、本願発明はプラグアダプタ、特に、接地ピンを有する３ピンプラグを接地ピン用の受け部のないソケットにも接続することができるようにしたプラグアダプタに関するものである。
【背景技術】
【０００２】
接地ピンを有する３ピンプラグを接地ピン用の受け部のないソケットにも接続するようにする技術として、特許文献１〜３のものが知られている。
【０００３】
特許文献１は、３ピンプラグのうち、接地ピンをネジにて着脱可能にプラグ本体に接続したものであり、接地ピン用受け部のないソケットに対して接続するときには、プラグ本体から接地ピンを外して使用するものである。ところが、この手段が施されていない３ピンプラグについては、対応ができないものであり、別途アダプタが必要となる。
【０００４】
特許文献２は、３ピンプラグ用のアダプタに関するものであり、本体の基端側に一対の電源用の刃受け部を備えると共にこの刃受け部の下方に接地ピン受け部を備え、この本体の先端側に一対の電源用の栓刃を備え、一対の電源用の栓刃と接地ピンとを備えた３ピンプラグを上記の基端側に接続し、上記の先端側を一対の電源用の刃受け部のみを備えたソケット等の２ピン用電源接続部にも接続できるようにしたものである。ところが、使用に際して、ソケットにこのアダプタを差し込み、このアダプタに３ピンプラグを接続すると、全長が５cmを超えてしまう。そのため、ソケットが垂直な壁面などに設けられている場合、これにかかる重力が大きく且つモーメントが長くなるため、電源用の栓刃と受け部との嵌合か甘くなり、全体が下方に回動して、栓刃が露出してトラッキングの原因となったり、さらには、栓刃が抜けてしまうおそれもある。
【０００５】
特許文献３は、プラグ本体の一側面へ一対の栓刃を突設させ、該栓刃を突設させた一側面と直交する直交面へ他のプラグの一対の栓刃を挿通させる一対の栓刃用挿通孔とアース栓刃を挿通させるアース用挿通孔とを形成し、該一対の栓刃用挿通孔と対応する一対の受刃金具を前記一対の栓刃と夫々電気的に接続させて内装し、前記アース用挿通孔と対応するアース刃受金具を内装し、該アース刃受金具に電気的に接続させたアース線をプラグ本体の前記一側面と前記直交面以外から延出させたＬ型のアダプタを開示する。ところが、このアダプタにあっては、Ｌ型となるため、栓刃と直交する方向への長さが長くなってしまい、２以上の刃受け部を占有してしまうことになる。
【０００６】
また、このようなＬ型のアダプタを用いた場合にあっても、プラグ本体とソケットの前面との間には隙間が空いてしまい、アダプタがソケットから傾斜することは避けることができない。特に、ソケットの前面は一見すると面一のように見えるが、ソケットの中心部分と、周囲の化粧板とは段差があり、しかもその段差は製品の種類やデザインによってばらつきがあるため、全てのソケットに対応することができるアダプタ開発することはできなかった。
【０００７】
【特許文献１】特開平１−８２４６９号公報
【特許文献２】特開平８−１１１２６３号公報
【特許文献３】特開２０００−１６４３０７号公報
【発明の開示】
【発明が解決しようとする課題】
【０００８】
本願発明は、ソケットに接続した後、時間の経過と共にアダプタが傾斜してしまい栓刃が露出してしまう事態の発生を防止することがきるプラグアダプタの提供を図ることを第１の目的とする。
本願発明の他の目的は、必要な時にはアダプタの傾斜を防止することができると共に、傾斜防止の機能が不要な際には、その傾斜防止機能を使用せずに、アダプタによるプラグの占有面積を少なくすることができるプラグアダプタの提供を図ることにある。
本願発明のさらに他の目的は、必要な時にはアダプタの傾斜を防止することができると共に、ソケットの機種の相違によって生ずる形状や段差のばらつきに対しても柔軟に対応でき有効な傾斜防止の機能を発揮し得るプラグアダプタの提供を図ることにある。
【課題を解決するための手段】
【０００９】
本願発明は、本体の基端側に一対の電源用の刃受け部を備えると共にこの刃受け部の下方に接地ピン受け部を備え、この本体の先端側に一対の電源用の栓刃を備え、一対の電源用の栓刃と接地ピンとを備えた３ピンプラグを上記の基端側に接続し、上記の先端側を一対の電源用の刃受け部のみを備えたソケット等の２ピン用電源接続部にも接続できるようにしたプラグアダプタにおいて、上記の本体の先端側に倒れ止め部が設けられ、この倒れ止め部は上記の刃受け部よりも下方に突出し、且つ、本体の先端面以上に前方に突出する当接部と、この当接部を本体の前後方向に移動可能に支持する支持部とを備え、上記の２ピン用電源接続部にプラグアダプタが接続された状態で、この当接部が２ピン用電源接続部の前面に当接することによって、プラグアダプタが下方に倒れることを防止するものである。
そして、上記の支持部は、上記の本体の下部から下方に向けて複数段に渡って設けられたものであり、この各段の先端に上記の当接部が前後に移動可能に配置され、この段と段との間が、他の部分よりも分離が容易に形成された分離部分とされていることを特徴とする。
上記の当接部は、その基端側に雄ねじを備え、この雄ねじ螺合する雌ねじが上記の各段の先端に形成されたものであり、この雄ねじと雌ねじとの螺合量によって当接部が前後に移動するものとして実施し得る。
また本願発明は、上記の支持部は、上記の本体の左右両側部に回動可能に接続された腕部であり、当接部はこの左右の両腕部間に渡されることにより上記の本体の下方に位置しており、左右の腕部を後方から前方に回動することによって、当接部は後方から前方に移動すると共に上記の本体の下方位置からさらに下方へ移動するものであり、この移動した位置で腕部を係止する係止部が上記の本体に設けられたものであることを特徴とするプラグアダプタを提供する。
【発明の効果】
【００１０】
本願発明は、当接部がソケットに当接することによって、ソケットに接続した後、時間の経過と共にアダプタが傾斜してしまい栓刃が露出してしまう事態の発生を防止することがきるプラグアダプタの提供を図ることができたものである。
を第１の目的とする。
本願の請求項２に係る発明は、分離部分を設けることによって、不要な段を分離することができ、これによって傾斜防止の機能が不要な際などには、その傾斜防止機能を使用せずに、アダプタによるプラグの占有面積を少なくすることができる。
本願の請求項３に係る発明は、雄ねじと雌ねじとの螺合量によって当接部が前後に移動するため、ソケットの機種の相違によって生ずる形状や段差のばらつきに対しても柔軟に対応でき有効な傾斜防止の機能を発揮し得る。
本願の請求項４に係る発明は、左右の腕部を後方から前方に回動することによって、当接部は後方から前方に移動すると共に上記の本体の下方位置からさらに下方へ移動するものであり、この移動した位置で腕部を係止する係止部が上記の本体に設けられたものであるため、傾斜防止の機能が不要な際などには、その傾斜防止機能を使用せずに、アダプタによるプラグの占有面積を少なくすることができる。
【発明を実施するための最良の形態】
【００１１】
以下、図面に基づき本願発明の実施の形態を説明する。
図１乃至図３は第１の実施の形態を示すもので、この実施の形態に係るプラグアダプタは、本体１１の基端側１２に左右一対の電源用の刃受け部１３を備えると共にこの刃受け部１３の下方に接地ピン受け部１４を備える。他方、この本体１１の先端側１５には、一対の電源用の栓刃１６を備える。図示は省略するが、本体１１の内部で、刃受け部１３は栓刃１６に接続されている。接地ピン受け部１４に対するピンは先端側１５には存在せず、本体１１の上面に設けられた接地用コード１７に接続されている。なお、この接地用コード１７は必ずしも設ける必要はなく、省略して実施することもできる。この本体は、刃受け部１３の下に接地ピン受け部１４を備えるものであるため、正面視において全体が逆凸字状となっている。
【００１２】
この基端側１２には、一対の電源用の栓刃と接地ピンとを備えた３ピンのプラグｐが接続される。そして先端側１５を、一対の電源用の刃受け部ｈのみを備えたソケットｓ等の２ピン用電源接続部にも接続できるようにしたものである。
【００１３】
このプラグアダプタは、本体１１の先端側１５に、倒れ止め部２１を備える。この倒れ止め部２１は、上記の刃受け部刃受け部１３よりも下方に突出した支持部２２と、この支持部２２の先端に螺合した当接部２５とを備える。支持部２２は、上下２つの分離部分２４で３段に分割されている。より詳しくは、分離部分２４の部分は他の部分よりも幅が小さく、この分離部分２４を設けることによって上下に複数段に分割されている。即ち、この例では、分離部分２４は、他の部分よりも細く断面積の小さなものとなっているため、他の部分よりもカッターなどで切り離しが容易になっている。
【００１４】
この支持部２２の各段には、その先端から基端に向けて雌ねじが形成されている。そして、この雌ねじに当接部２５が螺合されている。この当接部２５は、先端に当接面２６を備えた頭部と、軸部とを備え、この軸部には雄ねじ２７が形成されている。この雄ねじ２７が雌ねじに螺合されるもので、その螺合量によって、当接面２６の前後位置を調整できる。
【００１５】
使用に際しては、図３に示すように、本体１１における先端側１５の栓刃１６を、ソケットｓの刃受け部ｈへ嵌入する。このとき、支持部２２が下方になるようにして接続し、当接部２５の螺合深さを調整して、当接面２６がソケットｓの表面に当接するようにする。詳しくは、ソケットｓは、ソケット化粧板部ｓ２よりもソケット中央部ｓ１の方がわずかに突出しており、ソケット中央部ｓ１に当接する１段目は当接面２６の突出量を小さく、ソケット化粧板部ｓ２に当接する２段目と３段目とは当接面２６の突出量を大きくする。これによって、格段の当接部２５の先端である当接面２６が、ソケットｓに当接して、重力によって下方に傾斜する本体１１を、下方から支えて、それが回動して倒れることを防止するものである。特に、トラッキングは、プラグｐとソケットｓとの間の隙間にゴミなどがたまって発生することが知られているが、本願発明では、当接部２５の突出量を調整して、先端側１５とソケットｓとの間の隙間が最小となるように、設定できる。
【００１６】
しかも、この例では、分離部分２４が設けられているため、不必要な場合にはこれを切除して、一つのアダプタで２つ以上のソケットｓの刃受け部ｈを占有してしまうことを防止することができる。なお、この分離部分２４は、予め切り離しておいて、凹凸による嵌合、スライド式の着脱、ネジなどの締め付け具による固定など、種々の手段で着脱できるようにしてもよい。
【００１７】
次に、図４に基づき他の実施の形態を説明する。この例にあっては、支持部は、本体１１の左右両側部に回動可能に接続された腕部３１として実施されているもので、左右の両腕部３１の間に渡されるように当接部３２が形成されている。この腕部３１と当接部３２とは、一連の線材で形成することができる。この例では、腕部３１は、側面視略Ｌ字状をなすもので、９０度に屈曲しており、当接部３２は略直線状をなす。正面視でこの腕部３１と当接部３２とが略９０度折り曲げられたコ字状をなしているが、例えば、当接部３２弧状にして全体が略Ｕ字状になるようにしてもよい。腕部３１を回動可能に取り付ける構造は適宜変更して実施することができるが、この例では、腕部３１の基端を折り曲げて、本体１１に形成された小孔に挿入して、回動可能としている。
【００１８】
この左右の腕部３１を後方から前方に回動することによって、当接部３２は後方から前方に移動すると共に本体１１の下方位置からさらに下方へ移動する。そして、この下方に移動した位置で腕部を係止する突起状の係止部３３が本体１１の左右両側に設けられている。腕部３１は、この係止部３３を弾性変形させつつ、これを乗り越えて回動させられ、人が強制的に回動させないかぎり係止部３３が逆戻りしないようにする。そして、この状態で当接部３２をソケットｓに当接させることによって、プラグアダプタの倒れを防止するものである。この倒れ防止を必要としない場合には、当接部３２が後方へいくように回動させておけばよく、これによって、無駄な占有を防止し得る。
【図面の簡単な説明】
【００１９】
【図１】本願発明の第１の実施の形態に係るプラグアダプタの使用状態を示す斜視図。
【図２】同プラグアダプタを示すもので、（Ａ）は正面図、（Ｂ）は側面図、（Ｃ）は背面図、（Ｄ）は底面図。
【図３】同プラグアダプタの使用状態を示すもので、（Ａ）は側面図、（Ｂ）は背面図。
【図４】本願発明の第２の実施の形態に係るプラグアダプタを示すもので、（Ａ）は使用前の側面図、（Ｂ）は正面図、（Ｃ）は側面図、（Ｄ）は背面図、（Ｅ）は底面図。
【符号の説明】
【００２０】
ｓ１  中央部
ｓ２  化粧板部
１１  本体
１２  基端側
１３  刃受け部
１４  接地ピン受け部
１５  先端側
１６  栓刃
１７  接地用コード
２１  倒れ止め部
２２  支持部
２４  分離部分
２５  当接部
２６  当接面
２７  雄ねじ
３１  腕部
３２  当接部
３３  係止部
ｐ   プラグ
ｈ   刃受け部
ｓ   ソケット
【図１】
0005096187.tif 000002
【図２】
0005096187.tif 000003
【図３】
0005096187.tif 000004
【図４】
0005096187.tif 000005